(57)【要約】      （修正有）【課題】ＬＥＤ素子を用いることにより、少ない消費電力で明るく名前及び花を照明する照明付き献花用名札を提供する。【解決手段】反射板１０、導光板１１、１２、反射板１３を互いに密着重畳させて金属製本体前面ケース９に収納し、ＬＥＤ回路基板１４と発光・光軸可変機構２２により献花及び照明付き献花用名札である。【選択図】図２
0003174480.tif 000002
【実用新案登録請求の範囲】
【請求項１】
葬儀用の献花に添付する名札に於いて、氏名又は名称を記載する半透明部材と、該半透明部材の裏面に配置した拡散板と、該拡散板の裏面に配置した導光板と、該導光板の裏面に配置した反射板とを互いに密着させてなり、前記導光板の側面又は全面に配置した単一又は多数個のＬＥＤ素子を具備したＬＥＤ回路基板と、前記半透明部材、前記拡散板、前記導光板、前記反射板及び前記ＬＥＤ回路基板を収容する金属製本体前面ケースと、該金属製本体前面ケースの固定枠に配置しかつ金属製本体前面ケースに本体後面金属板ケースを固着する複数個又は多数個のマグネットと、金属製本体前面ケースの固定枠に配置し半透明部材を固定するスリップ止め部材と、該本体後面金属板ケースの裏面の上端部に配置した単一または多数個のＬＥＤ素子を回転可能に備えた発光・光軸可変機構と、該本体後面金属板ケースの裏面に固定しかつ前記ＬＥＤ回路基板及び発光・光軸可変機構を駆動する電源付制御回路と、該本体後面金属板ケースに固定しかつ献花の前面に立設する支柱とを有することを特徴とする照明付き献花用名札。
【考案の詳細な説明】
【技術分野】
【０００１】
本考案は、葬儀用の献花に取付ける名札であって、名前及び花を照明する照明付き献花用名札に関する。
【背景技術】
【０００２】
従来、この種、献花用名札の例としては図５に示す技術がある。これについて説明すれば、厚紙で長方形に形成した名札紙板１は、正面側を粘着物が強固に接着し、かつ容易に剥離できるように鏡面状に形成し、その両短縁に、両端に嵌合縁（図示せず）を設けたプラスチック製の断面Ｌ形の縁体３を接着剤等により貼着して装着する。この縁体３の断面Ｌ形の正面側に形成した突出縁部（図示せず）は、名札紙板１面よりも微小突出させることにより、名札紙板１の正面鏡面側に貼着した名札紙５の剥離を容易にすることができる。名札紙板１の背面側には長手方向中央部に、表面に不着紙を残した両面粘着テープ４の裏面を貼り付け、この両面粘着テープ４は支持角棒２の取付け長さに応じて、必要な長さだけ不着紙を剥ぎ取り、剥がした粘着面に支持角棒２の取付け側を貼着し、花輪や生花すなわち献花に挿着する長さを突出させて取付ける。
【先行技術文献】
【特許文献】
【０００３】
【特許文献１】登録実用新案公報  第３０２１６３７号
【考案の開示】
【考案が解決しようとする課題】
【０００４】
従来の技術は叙上の構成であるので次の課題が存在した。
すなわち、葬祭の祭壇には各種の飾り物等が陳列され、それらは各々照明を装備しているので、献花用名札の文字部分が周囲に比較して地味になり暗くて判読し難いという問題点があり、献花の前面に献花用名札が設置されるので、献花が献花用名札の陰になり精彩を欠くという問題点があった。
【課題を解決するための手段】
【０００５】
本考案はかかる問題点を解決するためになされたものであって、次の構成から成立する。
すなわち請求項１記載の考案によれば、葬儀用の献花に添付する名札に於いて、氏名又は名称を記載する半透明部材と、該半透明部材の裏面に配置した拡散板と、該拡散板の裏面に配置した導光板と、該導光板の裏面に配置した反射板とを互いに密着させてなり、前記導光板の側面又は全面に配置した単一又は多数個のＬＥＤ素子を具備したＬＥＤ回路基板と、前記半透明部材、前記拡散板、前記導光板、前記反射板及び前記ＬＥＤ回路基板を収容する金属製本体前面ケースと、該金属製本体前面ケースの固定枠に配置しかつ金属製本体前面ケースに本体後面金属板ケースを固着する複数個又は多数個のマグネットと、金属製本体前面ケースの固定枠に配置し半透明部材を固定するスリップ止め部材と、該本体後面金属板ケースの裏面の上端部に配置した単一または多数個のＬＥＤ素子を回転可能に備えた発光・光軸可変機構と、該本体後面金属板ケースの裏面に固定しかつ前記ＬＥＤ回路基板及び発光・光軸可変機構を駆動する電源付制御回路と、該本体後面金属板ケースに固定しかつ献花の前面に立設する支柱とを有することを特徴とする。
【考案の効果】
【０００６】
本考案に係る照明付き献花用名札は叙上の構成を有するので、次の効果がある。
すなわち、請求項１に記載の考案によれば、葬儀用の献花に添付する名札に於いて、氏名又は名称を記載する半透明部材と、該半透明部材の裏面に配置した拡散板と、該拡散板の裏面に配置した導光板と、該導光板の裏面に配置した反射板とを互いに密着させてなり、前記導光板の側面又は全面に配置した単一又は多数個のＬＥＤ素子を具備したＬＥＤ回路基板と、前記半透明部材、前記拡散板、前記導光板、前記反射板及び前記ＬＥＤ回路基板を収容する金属製本体前面ケースと、該金属製本体前面ケースの固定枠に配置しかつ金属製本体前面ケースに本体後面金属板ケースを固着する複数個又は多数個のマグネットと、金属製本体前面ケースの固定枠に配置し半透明部材を固定するスリップ止め部材と、該本体後面金属板ケースの裏面の上端部に配置した単一または多数個のＬＥＤ素子を回転可能に備えた発光・光軸可変機構と、該本体後面金属板ケースの裏面に固定しかつ前記ＬＥＤ回路基板及び発光・光軸可変機構を駆動する電源付制御回路と、該本体後面金属板ケースに固定しかつ献花の前面に立設する支柱とを有することを特徴とする照明付き献花用名札を提供する。
このような構成としたので、献花を提供した者の氏名又は組織の名称が名札の裏面から明瞭に照明されるので容易に判読することができ、名札の裏面の上端部に配置した複数個または多数個のＬＥＤ素子が献花の生花を照明するので、該生花が名札の陰になって暗くなることがなく、生花を綺麗に照明することができるという効果がある。
【図面の簡単な説明】
【０００７】
【図１】本考案に於ける照明付き献花用名札の実施の形態を示す構成図である。
【図２】本考案に於ける実施例を示すものであって、照明付き献花用名札を分解した斜視図である。
【図３】本考案に於ける金属製本体前面ケース及び本体後面金属板ケースを組み立てた状態を示す拡大斜視図である。
【図４】本考案に於ける照明付き献花用名札に於いてＬＥＤ素子の発光状態を示す模式図である。
【図５】従来の技術に於ける献花用名札の構成図である。
【考案を実施するための形態】
【０００８】
以下、本考案に係る照明付き献花用名札に於ける実施の形態について図１に基づき詳細に説明する。
【０００９】
図１の示すものは本考案に係る照明付き献花用名札６の一例であって、大概すると該照明付き献花用名札６は半透明部材７に記載されかつ献花８を提供した人の氏名等７ａを明瞭に照明・表示しかつ献花８を金属製本体前面ケース９の裏面に配置したＬＥＤ素子が照明している状態を示している。
【実施例】
【００１０】
次に本考案に係る照明付き献花用名札の実施例について図２ないし図４に基づき詳細に説明する。
献花の提供者の氏名等７ａを記載する部材７は半透明部材で構成し、例えば毛筆で書くための和紙や半紙である。また、コンピューターのプリンタで印刷するために硫酸紙などの半透明の洋紙を用いても良い。半透明部材７は金属製本体前面ケース９の固定枠９ａにその周縁部を固定するので、献花の提供者氏名等の変更に容易に対応することができる。
【００１１】
９は金属製本体前面ケースであって、薄型の箱型形状を有し鋼板で作成する。本考案に係る照明付き献花用名札６では一例として該金属製本体前面ケース９の天面は勾配つきの屋根型形状９ｂを有しているが、単純な矩形箱型形状でもよい。
【００１２】
該金属製本体前面ケース９の内側には図２に示すように、半透明部材７の裏面にアクリル透明板等の導光板１１、エンボス加工で作成される導光板１２及び反射板１３を互いに密着重畳させて収納する。拡散板１０、該導光板１１、１２の側面又は全面に単一又は多数個のＬＥＤ素子１４ａを具備したＬＥＤ回路基板１４を固定枠９ａ内に配置している。
【００１３】
反射板１３はＬＥＤ回路基板１４のＬＥＤ素子１４ａが発する光を反射させる反射板であって、鏡面状の金属板や平滑な板状の合成樹脂、例えばポリエステル樹脂の表面にアルミ蒸着したもの等で作成する。導光板１１、１２は半透明部材７全体をムラなく均等に照明するためのものであって、平滑な板状を有し半透明かつ乳白色の合成樹脂板例えばアクリル板で作成する。導光板１１、１２は前記拡散板１０に光を配光するものであって、無色透明な平滑な板状を有し合成樹脂板例えばアクリル板で作成する。
尚、該導光板１１、１２は透明ガラス板で作成してもよい。
【００１４】
拡散板１０は前記導光板１１、１２と同様に半透明部材７全体をムラなく均等に照明するためのものであって、平滑な板状を有し半透明かつ乳白色の合成樹脂板例えばアクリル板で作成する。また、金属製本体前面ケース９の固定枠９ａには複数個又は多数個のマグネット１５・・・・を配置してある。そして、該マグネット１５・・・・には半透明部材７と、拡散板１０、導光板１１、１２、反射板１３を金属製本体前面ケース９内に挿置した
後、金属製本体前面ケース９と本体後面金属板ケース１６をマグネット１５・・・・で磁力で磁着させこの両者を固定する。その際、半透明部材７は固定枠９ａ内に配置したゴム材料等でなるスリップ止め部材１７で固定する。
【００１５】
ＬＥＤ回路基板１４はＬＥＤ素子１４ａを備え単一又は多数個の白色のＬＥＤ素子群でなり、ＬＥＤ回路基板１４にマウントしてなる。ＬＥＤ回路基板１４の端子線Ａ’は後述する電源付制御回路１８の端子線Ａに接続する。電源付制御回路１８はケース１９の底面に固定されている。該ケース１９は緊締部品２１により本体後面金属板ケース１６の表面に固定され、電池２０を挿置している。この電池は電源としての電池２０やＡＣ電源でもよい。
【００１６】
金属製本体前面ケース９の上端部には発光・光軸可変機構２２を配置する挿入室９ｃを設けている。そして発光・光軸可変機構２２は回転軸２２ａと、砲弾型ＬＥＤ素子２２ｂを収容する光源体２２ｃと、回転トルクゴムリング２２ｄとを有している。砲弾型ＬＥＤ素子２２ｂは単一または多数個の白色のＬＥＤ素子であって、図４に示すように献花８にＬＥＤライト光８ａを放ちを正面からライトアップし照明する。該発光・光軸可変機構２２の端子線Ｂ’は電源付制御回路１８の端子線Ｂに接続する。
【００１７】
１８はＬＥＤ素子１４ａ及び砲弾型ＬＥＤ素子２２ｂを発光させるための制御回路であって、それを駆動するため図示しない抵抗型駆動回路又は定電流源型駆動回路及び電源回路でなる。尚２３は献花８の前面に照明付き献花用名札６を立設しかつ固定するための支柱である。該支柱２３は本体後面金属板ケース１６に取付けられた固定枠体２４に緊締部品２５・・・・により固定される。
【００１８】
次に、本考案に係る照明付き献花用名札６が均等な明るさで照明する作用・動作等を説明する。
ＬＥＤ素子１４ａが発光した光は導光板１１、１２に入光する。導光板１１、１２に入光した光は反射板１３により、光反射され拡散板１０へ透過する。拡散板１０へ透過した光は導光板１１、１２の内部で散乱して白色の散乱光になる。該散乱光は透過して半透明部材７の裏面へ半透明部材７を明るく照明する。
【００１９】
一方、発光・光軸可変機構２２の働きにより砲弾型ＬＥＤ素子２２ｂが図２に示す矢印方向に回転し献花８をライトアップし献花８の全体を明るく照明する。このようにして、電池駆動によるＬＥＤ素子で少ない消費電力により献花用名札６を長時間照明することができる。
【産業上の利用可能性】
【００２０】
本考案の照明付き献花用名札は葬儀に於ける献花のみならず、店舗開店時に贈られる祝儀用の生花や展示会の祝儀用の生花に添える名札に使用することができる。
【符号の説明】
【００２１】
６        照明付き献花用名札
７        半透明部材（半紙）
７ａ      氏名等
８        献花
８ａ      ＬＥＤライト光
９        金属製本体前面ケース
９ａ      固定枠
９ｂ      勾配つきの屋根型形状
９ｃ      挿入室
１０      拡散板
１１      導光板
１２      導光板
１３      反射板
１４      ＬＥＤ回路基板
１４ａ    ＬＥＤ素子
１５      マグネット
１６      本体後面金属板ケース
１７      スリップ止め部材
１８      電源付制御回路
１９      ケース
２０      電池
２１      緊締部品
２２      発光・光軸可変機構
２２ａ    回転軸
２２ｂ    砲弾型ＬＥＤ素子
２２ｃ    光源体
２３      支柱
２４      固定枠体
２５      緊締部品
【図１】
0003174480.tif 000003
【図２】
0003174480.tif 000004
【図３】
0003174480.tif 000005
【図４】
0003174480.tif 000006
【図５】
0003174480.tif 000007